【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
ダウンリンクチャネル上の報告情報を含む報告信号およびアップリンク制御チャネル用の不連続制御信号を、前記報告信号と前記不連続制御信号とのタイミング関係を所定基準を用いて協調させることによって、スケジューリングするステップと、
前記報告情報および前記不連続制御信号をユーザ機器によってネットワーク要素に送信するステップと、
を含む方法。
【請求項２】
前記アップリンク制御チャネル用の前記不連続制御信号の前記スケジューリングは、前記所定基準を用い、前記報告信号のタイミングに依存する、請求項１に記載の方法。
【請求項３】
前記報告信号のタイミングは、前記アップリンク制御チャネル用の前記不連続制御信号の前記スケジューリングに依存する、請求項１に記載の方法。
【請求項４】
前記ネットワーク要素はノードＢであり、前記ネットワーク要素および前記ユーザ機器はワイヤレス通信として構成される、請求項１に記載の方法。
【請求項５】
前記報告信号は高速個別物理制御チャネル上に送信される、請求項１に記載の方法。
【請求項６】
前記報告信号における前記報告情報は、チャネル品質表示報告情報を含む、請求項１に記載の方法。
【請求項７】
前記チャネル品質表示報告情報を含む前記報告信号は、前記ユーザ機器によって前記ネットワーク要素から受信された高速ダウンリンクシェアードチャネル信号に基づいて前記ユーザ機器によってスケジュールされかつ提供される、請求項６に記載の方法。
【請求項８】
前記スケジューリング中に、前記報告信号の報告周期が、ダウンリンク不活性の予め選択された時間後予め選択された値だけ変化し、ダウンリンク活性開始後に、前記報告周期が、前記報告周期の最小値である初期値に変化する、請求項１に記載の方法。
【請求項９】
前記スケジューリング中に、前記報告信号の報告周期が、前記ダウンリンク不活性の予め選択された時間後毎に予め選択された値だけ増大し、前記報告周期は、予め選択された最大値を超えない、請求項１に記載の方法。
【請求項１０】
前記スケジューリング中に、前記報告信号の報告周期が、前記ダウンリンク不活性の予め選択された時間後予め選択された最大値に増大する、請求項１に記載の方法。
【請求項１１】
前記スケジューリング中に、前記報告信号の報告周期は、ランダム化されたアップリンク送信パターンにおける平均、最小もしくは最大の許可チャンネル品質表示周期である、請求項１に記載の方法。
【請求項１２】
前記不連続制御信号の時刻は前記報告信号の時刻と同一である、請求項１に記載の方法。
【請求項１３】
前記不連続制御信号のゲーティング周期は、前記報告信号の報告周期の最小値に等しい、請求項１に記載の方法。
【請求項１４】
前記不連続な制御信号は、すぐ前記レポート信号の後のタイムスロットに、または、前記レポート合図の後のあらかじめ選択された数のタイムスロットに除外される、請求項１に記載の方法。
【請求項１５】
前記不連続制御信号のゲーティング周期は、前記報告信号の報告周期の最小値に等しい、請求項１４に記載の方法。
【請求項１６】
前記アップリンク制御チャネルは、アップリンク個別物理制御チャネルである、請求項１に記載の方法。
【請求項１７】
前記不連続制御信号の前記スケジューリングは、さらなる所定基準を用いてアップリンクデータチャネル上に送信されるデータのタイミングに依存する、請求項１に記載の方法。
【請求項１８】
前記協調を用いた前記スケジューリングは、前記ネットワーク要素および前記ユーザ機器のうちの少なくとも１つによって提供される、請求項１に記載の方法。
【請求項１９】
コンピュータプロセッサによって実行されるコンピュータプログラムコードを具体化するコンピュータ可読の記憶構造を備えるコンピュータプログラムであって、
前記コンピュータ・プログラムコードが、請求項１の方法を実行するための命令を含む、コンピュータプログラム。
【請求項２０】
ダウンリンクチャネルに関する報告情報を備える報告信号とアップリンク制御チャネル用の不連続制御信号とを生成するように構成されたアップリンクスケジュールおよび信号生成モジュールであって、前記報告信号および前記不連続制御信号を、前記報告信号と前記不連続制御信号とのタイミング関係を、所定基準を用いて協調させることによって、前記報告信号および前記不連続制御信号のスケジューリングが提供される、アップリンクスケジュールおよび信号生成モジュールと、
前記報告情報および前記不連続制御信号をユーザ機器によってネットワーク要素に送信するように構成された受信器／送信器／処理モジュールと、
を備えるユーザ機器。
【請求項２１】
前記アップリンクスケジューリングおよび信号生成モジュールは、前記不連続制御信号および報告信号のうちの少なくとも１つの前記協調を用いてスケジューリングを提供するように構成された、請求項２０に記載のユーザ機器。
【請求項２２】
前記協調を用いた前記スケジューリングは、前記ネットワーク要素と、前記アップリンクスケジューリングおよび信号生成モジュールとの少なくとも１つによって提供される、請求項２０に記載のユーザ機器。
【請求項２３】
前記アップリンク制御チャネルは、アップリンク個別物理制御チャネルである、請求項２０に記載のユーザ機器。
【請求項２４】
前記不連続制御信号の前記スケジューリングは、さらなる所定基準を用いてアップリンクデータチャネル上に送信されるデータのタイミングに依存する、請求項２０に記載のユーザ機器。
【請求項２５】
前記ユーザ機器は、ワイヤレス通信として構成される、請求項２０に記載のユーザ機器。
【請求項２６】
前記アップリンク制御チャネル用の前記不連続制御信号の前記スケジューリングは、前記所定基準を用いて前記報告信号のタイミングに依存する、請求項２０に記載のユーザ機器。
【請求項２７】
前記報告信号のタイミングは、前記アップリンク制御チャネル用の前記不連続制御信号の前記スケジューリングに依存する、請求項２０に記載のユーザ機器。
【請求項２８】
前記報告信号における前記報告情報は、チャネル品質表示報告情報を含む、請求項２０に記載のユーザ機器。
【請求項２９】
前記スケジューリング中に、前記報告信号の報告周期が、ダウンリンク不活性の予め選択された時間後予め選択された値だけ変化し、ダウンリンク活性開始後に、前記報告周期が、前記報告周期の最小値である初期値に変化する、請求項２０に記載のユーザ機器。
【請求項３０】
前記スケジューリング中に、前記報告信号の報告周期が、前記ダウンリンク不活性の予め選択された時間後毎に予め選択された値だけ増大し、前記報告周期が、予め選択された最大値を超えない、請求項２０に記載のユーザ機器。
【請求項３１】
集積回路が前記アップリンクスケジューリングおよび信号生成モジュールと前記受信器／送信器／処理モジュールとを備える、請求項２０に記載のユーザ機器。
【請求項３２】
ダウンリンクチャネルに関する報告情報を備える報告信号を生成しアップリンク制御チャネル用の不連続制御信号を生成する信号生成手段であって、前記報告信号と前記不連続制御信号とのタイミング関係を、所定基準を用いて協調させることによって、前記報告信号および前記不連続制御信号をスケジューリングする信号生成手段と、
前記報告情報および前記不連続制御信号をユーザ機器によってネットワーク要素に送信する受信および送信手段と、
を備えるユーザ機器。
【請求項３３】
前記信号生成手段は、前記スケジューリングを提供するように構成される、請求項３２に記載のユーザ機器。
【請求項３４】
ダウンリンクデータ信号を生成するように構成されたスケジューリングおよび信号生成モジュールと、
前記ダウンリンクデータ信号をユーザ機器に提供するように構成された送信器ブロックと、
前記ダウンリンクデータ信号を送信するダウンリンクチャネルに関する報告情報を含む報告信号と不連続制御信号とを受信するように構成された受信器ブロックと、
を備え、
前記報告信号および前記不連続制御信号を、前記報告信号と前記不連続制御信号とのタイミング関係を所定基準を用いて協調させることによって、前記報告信号および前記不連続制御信号をスケジューリングするネットワーク要素。
【請求項３５】
前記スケジューリングおよび生成モジュールは、前記不連続制御信号および前記報告信号のうちの少なくとも１つの協調を用いて前記スケジューリングを提供するように構成された、請求項３４に記載のネットワーク要素。
【請求項３６】
ダウンリンクデータ信号を提供するように構成されたネットワーク要素と、
前記ダウンリンクデータ信号を送信するダウンリンクチャネルに関する報告情報を備える報告信号およびアップリンク制御チャネル用の不連続制御信号を生成し送信するように構成されたユーザ機器とを備え、
前記報告信号および前記不連続制御信号を、前記報告信号と前記不連続制御信号とのタイミング関係を所定基準を用いて協調させることによって、前記報告信号および前記不連続制御信号をスケジューリングする通信システム。
【請求項３７】
前記アップリンク制御チャネル用の前記不連続制御信号の前記スケジューリングは、前記所定基準を用い、前記報告信号のタイミングに依存する、請求項３６に記載のシステム。
【請求項３８】
前記報告信号のタイミングは、前記アップリンク制御チャネル用の前記不連続制御信号の前記スケジューリングに依存する、請求項３６に記載のシステム。
【請求項３９】
前記報告信号における前記報告情報は、チャネル品質表示報告情報を含む、請求項３６に記載のシステム。
【請求項４０】
前記協調を用いた前記スケジューリングは、前記ネットワーク及び前記ユーザ機器のうちの少なくとも１つによって提供される、請求項３６に記載のシステム。